(57)【要約】  医療映像提供装置が被検者についての検査映像を提供する医療映像提供方法において、被検者端末から、近距離無線通信を介して、被検者識別情報を受信する段階と、受信された被検者識別情報に基づいて、診断が要求される対象体に係る情報を検索する段階と、検索された情報に基づいて、診断が要求される対象体についての検査映像を取得する段階と、を含むことを特徴とする医療映像提供方法。
2015509220.tif 000002
【特許請求の範囲】
【請求項１】
医療映像提供装置が被検者についての検査映像を提供する医療映像提供方法において、
被検者端末から、近距離無線通信を介して、被検者識別情報を受信する段階と、
前記受信された被検者識別情報に基づいて、診断が要求される対象体に係る情報を検索する段階と、
前記検索された情報に基づいて、前記診断が要求される対象体についての検査映像を取得する段階と、を含むことを特徴とする医療映像提供方法。
【請求項２】
前記対象体に係る情報を検索する段階は、
前記受信された被検者識別情報に基づいて、サーバで前記診断が要求される対象体に係る情報を検索する段階を含むことを特徴とする請求項１に記載の医療映像提供方法。
【請求項３】
前記医療映像提供方法は、
前記取得された検査映像を、サーバまたは前記被検者端末へ伝送する段階をさらに含むことを特徴とする請求項１に記載の医療映像提供方法。
【請求項４】
前記医療映像提供方法は、
前記医療映像提供装置の機器情報を、前記近距離無線通信を介して、サービスエンジニア端末へ伝送する段階と、
前記近距離無線通信を介して、前記サービスエンジニア端末から、前記医療映像提供装置についてのサービス遂行結果情報を受信する段階と、をさらに含むことを特徴とする請求項１に記載の医療映像提供方法。
【請求項５】
前記機器情報は、
前記医療映像提供装置の識別情報と、サービスヒストリー情報のうち少なくとも一つを含むことを特徴とする請求項４に記載の医療映像提供方法。
【請求項６】
前記医療映像提供方法は、
ユーザ端末へ、前記近距離無線通信を介して、前記医療映像提供装置の識別情報を伝送する段階と、
前記ユーザ端末から、前記近距離無線通信を介して、制御命令を受信する段階と、
前記受信された制御命令を実行する段階と、をさらに含むことを特徴とする請求項１に記載の医療映像提供方法。
【請求項７】
前記医療映像提供装置の前記識別情報を伝送する段階は、
前記ユーザ端末の識別情報を、前記近距離無線通信を介して、前記ユーザ端末から受信する段階と、
前記受信されたユーザ端末の識別情報に基づいて、前記ユーザ端末の使用権限情報を確認する段階と、
前記確認された使用権限情報に基づいて、選択的に前記医療映像提供装置の前記識別情報を、前記ユーザ端末へ伝送する段階と、を含むことを特徴とする請求項６に記載の医療映像提供方法。
【請求項８】
前記医療映像提供方法は、
前記取得された検査映像を、前記近距離無線通信を介して、前記ユーザ端末へ伝送する段階をさらに含むことを特徴とする請求項６に記載の医療映像提供方法。
【請求項９】
ユーザ端末が、医療映像提供装置から、近距離無線通信を介して、前記医療映像提供装置の識別情報を受信する段階と、
前記ユーザ端末が、前記医療映像提供装置の前記受信された識別情報とマッピングされる仮想のキーセットを表示する段階と、
前記ユーザ端末が、前記仮想のキーセットを介して、外部から制御命令を入力される段階と、
前記ユーザ端末が、前記入力された制御命令を、前記近距離無線通信を介して、前記医療映像提供装置へ伝送する段階と、を含むことを特徴とするユーザ端末を利用した医療映像提供方法。
【請求項１０】
前記医療映像提供方法は、
前記ユーザ端末が、前記近距離無線通信を介して、前記医療映像提供装置から検査映像を受信する段階と、
前記受信された検査映像を表示する段階と、をさらに含むことを特徴とする請求項９に記載のユーザ端末を利用した医療映像提供方法。
【請求項１１】
前記医療映像提供方法は、
前記ユーザ端末が、前記受信された検査映像をサーバへ伝送する段階をさらに含むことを特徴とする請求項１０に記載のユーザ端末を利用した医療映像提供方法。
【請求項１２】
被検者端末から、近距離無線通信を介して、被検者識別情報を受信する通信部と、
前記受信された被検者識別情報に基づいて、診断が要求される対象体に係る情報を検索する検索部と、
前記検索された情報に基づいて、前記診断が要求される対象体についての検査映像を取得する映像取得部と、
前記通信部、前記検索部及び前記映像取得部を制御する制御部と、を備えることを特徴とする医療映像提供装置。
【請求項１３】
前記通信部は、ユーザ端末へ、前記近距離無線通信を介して、前記医療映像提供装置の識別情報を伝送し、前記ユーザ端末から、前記近距離無線通信を介して、制御命令を受信し、
前記制御部は、前記受信された制御命令を実行することを特徴とする請求項１２に記載の医療映像提供装置。
【請求項１４】
医療映像提供装置から、近距離無線通信を介して、前記医療映像提供装置の識別情報を受信し、外部から入力される制御命令を、前記近距離無線通信を介して、前記医療映像提供装置へ伝送する通信部と、
前記医療映像提供装置の前記受信された識別情報とマッピングされる仮想のキーセットを表示し、前記仮想のキーセットを介して、外部から制御命令を入力されるディスプレイ部と、
前記通信部及び前記ディスプレイ部を制御する制御部と、を備えることを特徴とするユーザ端末。
【請求項１５】
請求項１に記載の医療映像提供方法を具現するためのプログラムが記録されたコンピュータで読み取り可能な記録媒体。
【発明の詳細な説明】
【技術分野】
【０００１】
本発明は、近距離無線通信を利用した医療映像提供方法及び医療映像提供装置に関する。
【背景技術】
【０００２】
現在、ほとんどの医療機関は、内部私設網を構築して、機器間の通信を行っている。しかし、ＷｉＦｉの場合、機器間に互いにデータを送受信するためには、同一の内部ネットワーク網（例えば、アクセスポイント）にアクセスしなければならない。そのため、医療機関の内部に、無線ネットワーク設備が存在しなければならない。一方、公認ＩＰ(Internet Protocol)を使用する場合には、両機器が外部サーバを利用しなければならない。
【０００３】
ブルートゥースの場合、機器間の連結のためには、ペアリングプロセスが必要である。ペアリングとは、ブルートゥース機能をサポートするデバイス間に相互通信連結を許容した状態を意味する。また、周辺にブルートゥースをサポートする色々な機器がある場合、ユーザは、連結する機器を選択しなければならない不都合がある。
【０００４】
したがって、モバイルデバイスを、医療機器に簡便に連結可能にして、モバイルデバイスと医療機器との間で、医療データを安定して送受信可能にするシステムが必要である。
【発明の概要】
【発明が解決しようとする課題】
【０００５】
本発明の目的は、医療機器とモバイルデバイスの近距離無線通信をサポートして、医療機器とモバイルデバイスとが簡便にデータを送受信可能にする、近距離無線通信を利用した医療映像提供方法及びその装置を提供することにある。
【課題を解決するための手段】
【０００６】
本発明の一実施形態による医療映像提供方法は、被検者端末から、近距離無線通信を介して、被検者識別情報を受信する段階と、前記受信された被検者識別情報に基づいて、診断が要求される対象体に係る情報を検索する段階と、前記検索された情報に基づいて、前記診断が要求される対象体についての検査映像を取得する段階と、を含む。その場合、本発明の一実施形態による医療映像提供方法は、受信された被検者識別情報に基づいて、サーバで診断が要求される対象体に係る情報を検索する段階をさらに含んでもよい。
【０００７】
本発明の一実施形態による医療映像提供方法は、取得された検査映像を、サーバまたは被検者端末へ伝送する段階を含む。
【０００８】
本発明の一実施形態による医療映像提供方法は、前記医療映像提供装置の機器情報を、前記近距離無線通信を介して、サービスエンジニア端末へ伝送する段階と、前記近距離無線通信を介して、前記サービスエンジニア端末から、前記医療映像提供装置についてのサービス遂行結果情報を受信する段階と、を含む。その時、機器情報は、医療映像提供装置の識別情報とサービスヒストリー情報のうち少なくとも一つを含む。
【０００９】
本発明の一実施形態による医療映像提供方法は、ユーザ端末へ、前記近距離無線通信を介して、前記医療映像提供装置の識別情報を伝送する段階と、前記ユーザ端末から、前記近距離無線通信を介して、制御命令を受信する段階と、前記受信された制御命令を実行する段階と、を含む。
【００１０】
本発明の一実施形態による医療映像提供方法は、取得された検査映像を、近距離無線通信を介して、ユーザ端末へ伝送する段階を含む。
【００１１】
本発明の一実施形態によるユーザ端末を利用した医療映像提供方法は、ユーザ端末が、医療映像提供装置から、近距離無線通信を介して、前記医療映像提供装置の識別情報を受信する段階と、前記ユーザ端末が、前記医療映像提供装置の前記受信された識別情報とマッピングされる仮想のキーセットを表示する段階と、前記ユーザ端末が、前記仮想のキーセットを介して、外部から制御命令を入力される段階と、前記ユーザ端末が、前記入力された制御命令を、前記近距離無線通信を介して、前記医療映像提供装置へ伝送する段階と、を含む。
【００１２】
本発明の一実施形態によるユーザ端末を利用した医療映像提供方法は、ユーザ端末が、近距離無線通信を介して、医療映像提供装置から検査映像を受信する段階と、前記受信された検査映像を表示する段階と、を含む。
【００１３】
本発明の一実施形態によるユーザ端末を利用した医療映像提供方法は、ユーザ端末が、前記受信された検査映像をサーバへ伝送する段階をさらに含む。
【００１４】
本発明の一実施形態による医療映像提供装置は、被検者端末から、近距離無線通信を介して、被検者識別情報を受信する通信部と、前記受信された被検者識別情報に基づいて、診断が要求される対象体に係る情報を検索する検索部と、前記検索された情報に基づいて、前記診断が要求される対象体についての検査映像を取得する映像取得部と、前記通信部、前記検索部及び前記映像取得部を制御する制御部と、を備える。
【００１５】
本発明の一実施形態によるユーザ端末は、医療映像提供装置から、近距離無線通信を介して、前記医療映像提供装置の識別情報を受信し、外部から入力される制御命令を、前記近距離無線通信を介して、前記医療映像提供装置へ伝送する通信部と、前記医療映像提供装置の前記受信された識別情報とマッピングされる仮想のキーセットを表示し、前記仮想のキーセットを介して、外部から制御命令を入力されるディスプレイ部と、前記通信部及び前記ディスプレイ部を制御する制御部と、を備える。
【図面の簡単な説明】
【００１６】
【図１】本発明の一実施形態に係る医療映像提供システムを説明するためのブロック構成図である。
【図２】本発明の一実施形態に係る医療映像提供装置を説明するためのブロック構成図である。
【図３】本発明の一実施形態に係るユーザ端末を説明するためのブロック構成図である。
【図４】本発明の一実施形態に係る、被検者端末に近距離無線通信を介して医療映像を提供する方法を説明するためのフローチャートである。
【図５】本発明の一実施形態に係る、医療映像提供装置がサービスエンジニア端末と近距離無線通信を介してデータを送受信する方法を説明するためのフローチャートである。
【図６】本発明の一実施形態に係る、医療映像提供装置がユーザ端末から近距離無線通信を介して制御命令を受信する方法を説明するためのフローチャートである。
【図７】本発明の一実施形態に係る、医療映像提供装置がユーザ端末の使用権限情報を確認する方法を説明するためのフローチャートである。
【発明を実施するための形態】
【００１７】
本明細書で使われる用語について簡略に説明し、本発明について具体的に説明する。
【００１８】
本発明で使われる用語は、本発明における機能を考慮しつつ、できる限り現在広く使われている一般的な用語を選択したが、それは、当業者の意図または判例、新たな技術の出現などによって変わることがある。また、特定の場合は、出願人が任意に選定した用語もあり、その場合、該当する発明の説明部分で詳細にその意味を記載する。したがって、本発明で使われる用語は、単純な用語の名称ではない、その用語が有する意味と、本発明の全般にわたった内容とに基づいて定義されなければならない。
【００１９】
明細書の全体において、ある部分がある構成要素を“含む”とする時、それは、特定する記載がない限り、他の構成要素を除くものではなく、他の構成要素をさらに含むことを意味する。また、明細書に記載された“…部”、“モジュール”などの用語は、少なくとも一つの機能や動作を処理する単位を意味し、それは、ハードウェアまたはソフトウェアにより具現されても、ハードウェアとソフトウェアの結合により具現されてもよい。
【００２０】
明細書の全体において、“医療映像”とは、超音波、Ｘ−ＲＡＹ、高周波などを利用して取得された対象体についての映像を意味する。対象体は、身体の一部を意味する。例えば、対象体には、肝臓、心臓、子宮、脳、乳房、腹部などの臓器や、胎児などが含まれる。
【００２１】
医療映像が超音波映像である場合、超音波映像は、多様に具現可能である。例えば、超音波映像は、Ｂモード(brightness mode)映像、Ｃモード(color mode)映像、及びＤモード(Doppler mode)映像のうち少なくとも一つである。また、本発明の一実施形態によれば、超音波映像は、二次元映像または三次元映像である。
【００２２】
明細書の全体において、“ユーザ”は、医療専門家であって、医師、看護師、臨床検査技師、医療映像専門家などであるが、それらに限定されるものではない。
【００２３】
以下、添付した図面を参照して、本発明の実施形態について、当業者が容易に実施できるように詳細に説明する。しかし、本発明は、色々な異なる形態で具現され、ここで説明する実施形態に限定されない。そして、図面において、本発明を明確に説明するために、説明と関係ない部分は省略し、明細書の全体を通じて、類似した部分については、類似した図面符号を付した。
【００２４】
図１は、本発明の一実施形態に係る医療映像提供システムを説明するためのブロック構成図である。
【００２５】
図１に示すように、本発明の一実施形態による医療映像提供システムは、医療映像提供装置１００、被検者端末２００、サービスエンジニア端末３００、及びユーザ端末４００を含む。
【００２６】
医療映像提供装置１００は、診療のために、対象体についての医療映像を取得し、取得された医療映像を表示する装置を意味する。本発明の一実施形態による医療映像提供装置１００には、磁気共鳴映像(Magnetic Resonance Imaging: MRI)装置、超音波診断装置、コンピュータ断層撮影(Computed Tomography: CT)装置、Ｘ線診断装置などが含まれるが、それらに限定されるものではない。
【００２７】
本発明の一実施形態による医療映像提供装置１００は、近距離無線通信(Near Field Communication: NFC)のためのＮＦＣチップを含む。ＮＦＣとは、電子タグ(Radio-Frequency Identification: RFID)の一つとして、１３．５６Ｍｚの周波数帯域を使用する非接触式の近距離無線通信モジュールを利用して、１０ｃｍの近距離で端末器間のデータを伝送する技術をいう。
【００２８】
本発明の一実施形態による医療映像提供装置１００は、ＮＦＣチップが内部に装着されていてもよく、ドングルの形態で外部に装着されていてもよい。また、本発明の一実施形態によれば、ＮＦＣチップは、医療映像提供装置１００の保持台またはコントロールパネルに装着されていてもよい。
【００２９】
一方、ＮＦＣは、読み取り／書き込みの機能の両方が提供されるので、本発明の一実施形態による医療映像提供装置１００は、自身の機器情報をＮＦＣタグに書き込み、外部装置から、ＮＦＣを介して、データを読み取る。
【００３０】
また、本発明の一実施形態による医療映像提供装置１００は、サーバ５００と有無線通信も可能である。本発明の一実施形態による医療映像提供装置１００の構成については、図２を参照して後述する。
【００３１】
本発明の一実施形態による被検者端末２００は、検査を受けようとする被検者が所持した移動型端末を意味する。被検者端末２００は、多様な形態で具現可能である。例えば、被検者端末２００は、携帯電話、スマートフォン、ＰＤＡ(Personal Digital Assistant)、ＰＭＰ(Portable Multimedia Player)、ナビゲーション、ｅ−ｂｏｏｋ端末機、タブレットＰＣなどがある。
【００３２】
本発明の一実施形態による被検者端末２００は、被検者の識別情報を含む。例えば、被検者端末２００に内蔵されたＮＦＣタグに、被検者の識別情報が含まれる。
【００３３】
したがって、本発明の一実施形態によれば、被検者端末２００を被検者の診療カードの代わりに使用できるので、被検者が別途の診療カードを所持しなければならない不都合を減らすことができる。
【００３４】
サービスエンジニア端末３００は、医療映像提供装置１００に対する供給、修理、ＳＷアップデートなどのサービスを提供するサービスエンジニアが所持した端末を意味する。
【００３５】
本発明の一実施形態によるサービスエンジニア端末３００は、多様な形態で具現可能である。例えば、サービスエンジニア端末３００は、携帯電話、スマートフォン、ＰＤＡ、ＰＭＰ、ナビゲーション、ｅ−ｂｏｏｋ端末機、タブレットＰＣなどがある。
【００３６】
本発明の一実施形態によるサービスエンジニア端末３００は、医療映像提供装置１００と近距離無線通信が可能である。すなわち、本発明の一実施形態によるサービスエンジニア端末３００には、ＮＦＣチップが内蔵されている。
【００３７】
一方、サービスエンジニア端末３００は、サービスサーバ（図示せず）と無線通信が可能である。すなわち、本発明の一実施形態によるサービスエンジニア端末３００は、無線通信を介して、サービス遂行結果をサービスサーバ（図示せず）へ伝送する。
【００３８】
ユーザ端末４００は、医師、看護師、臨床検査技師などの医療映像専門家が所持した端末を意味する。ユーザは、ユーザ端末４００を利用して、制御命令を入力したり、医療映像提供装置１００が取得した検査映像を確認する。すなわち、ユーザは、ユーザ端末４００を、医療映像提供装置１００の入出力部として使用できる。
【００３９】
本発明の一実施形態によるユーザ端末４００は、多様な形態で具現可能である。例えば、ユーザ端末４００は、携帯電話、スマートフォン、ＰＤＡ、ＰＭＰ、ナビゲーション、ｅ−ｂｏｏｋ端末機、タブレットＰＣなどがある。
【００４０】
一方、本発明の一実施形態によるユーザ端末４００は、ＮＦＣを介して、医療映像提供装置１００とデータを送受信する。また、本発明の一実施形態によるユーザ端末４００は、サーバ５００と無線通信が可能である。したがって、本発明の一実施形態によるユーザ端末４００は、医療映像提供装置１００から取得したデータをサーバ５００に伝達する。
【００４１】
本発明の一実施形態によるサーバ５００は、医療サービスを提供するためのサーバであって、一例として医療機関サーバがある。
【００４２】
本発明の一実施形態によるサーバ５００には、被検者識別情報を含む被検者情報、医療映像提供装置１００が取得した検査映像情報、医療専門家が入力した検査要求項目情報などが保存されている。前記検査要求項目情報には、診断が要求される対象体に係る情報が含まれる。
【００４３】
本発明の一実施形態によれば、サーバ５００は、医療映像提供装置１００及びユーザ端末４００のうち少なくとも一つとネットワーク網で連結されている。したがって、本発明の一実施形態によるサーバ５００は、医療映像提供装置１００またはユーザ端末４００とデータ送受信が可能である。
【００４４】
例えば、サーバ５００は、医療映像提供装置１００から、被検者識別情報を含む対象体に係る情報要請を受信する。その場合、サーバ５００は、前記被検者識別情報とマッピングされる検査要求項目情報を確認し、前記検査要求項目情報に含まれた対象体に係る情報を抽出する。そして、サーバ５００は、抽出された対象体に係る情報を、医療映像提供装置１００へ伝送する。
【００４５】
図２を参照して、医療映像提供装置１００の構成について詳細に説明する。
【００４６】
図２は、本発明の一実施形態に係る医療映像提供装置を説明するためのブロック構成図である。
【００４７】
図２に示すように、本発明の一実施形態による医療映像提供装置１００は、通信部１１０、検索部１２０、映像取得部１３０、ディスプレイ部１４０、保存部１５０、及び制御部１６０を含む。しかし、図２に示した構成要素がいずれも必須的な構成要素であるというわけではない。図２に示した構成要素よりも多くの構成要素によって、医療映像提供装置１００が具現されてもよく、それよりも少ない構成要素によって、医療映像提供装置１００が具現されてもよい。
【００４８】
通信部１１０は、医療映像提供装置１００と、被検者端末２００、サービスエンジニア端末３００、ユーザ端末４００、サーバ５００との通信を行う一つ以上の構成要素を含む。
【００４９】
例えば、通信部１１０は、近距離通信モジュール１１１、有線インターネットモジュール１１３、無線インターネットモジュール１１５などを含む。
【００５０】
近距離通信モジュール１１１は、近距離通信のためのモジュールをいう。近距離通信技術として、ブルートゥース、ＲＦＩＤ、赤外線通信(infrared Data Association(IrDA))、ＵＷＢ(Ultra Wideband)、ＺｉｇＢｅｅ、ＮＦＣなどが利用される。本明細書では、近距離通信の一例として、ＮＦＣを挙げて説明する。
【００５１】
本発明の一実施形態による通信部１１０は、被検者端末２００から、ＮＦＣを介して、被検者識別情報を受信する。また、通信部１１０は、取得された検査映像を、ＮＦＣを介して、被検者端末２００またはユーザ端末４００へ伝送する。
【００５２】
通信部１１０は、医療映像提供装置１００の機器情報を、ＮＦＣを介して、サービスエンジニア端末３００へ伝送し、ＮＦＣを介して、サービスエンジニア端末３００から、医療映像提供装置１００に対するサービス遂行結果情報を受信する。
【００５３】
通信部１１０は、ユーザ端末４００へ、ＮＦＣを介して、医療映像提供装置１００の識別情報を伝送する。その時、本発明の一実施形態によれば、通信部１１０は、ユーザ端末４００の使用権限情報を確認するために、ユーザ端末４００の識別情報を、ＮＦＣを介して受信する。
【００５４】
本発明の一実施形態によれば、ユーザ端末４００の使用権限が確認された場合、通信部１１０は、ユーザ端末４００から、ＮＦＣを介して、制御命令を受信する。
【００５５】
有線インターネットモジュール１１３は、有線インターネット接続のためのモジュールをいう。また、無線インターネットモジュール１１５は、無線インターネット接続のためのモジュールをいうものであって、無線インターネットモジュール１１５は内蔵または外装される。
【００５６】
本発明の一実施形態による通信部１１０は、有線インターネットモジュール１１３または無線インターネットモジュール１１５を利用して取得された検査映像を、サーバ５００へ伝送する。
【００５７】
検索部１２０は、被検者識別情報に基づいて、診断が要求される対象体に係る情報を検索する。本発明の一実施形態による被検者識別情報は、被検者のＩＤ、生年月日、住民登録番号、パスポート番号などの被検者を識別する情報が含まれる。
【００５８】
本発明の一実施形態によれば、検索部１２０は、医療映像提供装置１００内に、被検者についての検査要求項目情報が保存されている場合、予め保存された検査要求項目情報のうち、診断が要求される対象体に係る情報を検索する。
【００５９】
検査要求項目情報とは、検査が要求される項目に係る情報であって、検査分野（例えば、ＭＲＩ、超音波診断、ＣＴ撮影など）、診断が必要な対象体に係る情報（例えば、肝臓、乳房、子宮、胎児、脳、血管など）、診療科（例えば、産科、婦人科、小児科、胸部外科、放射線科、神経外科など）、担当医師（例えば、医師のＩＤ、氏名など）、追加検査条件などに係る情報などが含まれる。
【００６０】
一方、本発明の他の実施形態によれば、検査要求項目情報がサーバ５００に保存されている場合、検索部１２０は、前記受信された被検者識別情報に基づいて、サーバ５００で前記診断が要求される対象体に係る情報を検索することもできる。
【００６１】
すなわち、検索部１２０は、被検者識別情報とマッピングされるワークリストを、サーバ５００で自動的に検索して、検査要求項目情報を取得し、取得された検査要求項目情報から、診断が必要な対象体に係る情報を抽出する。
【００６２】
映像取得部１３０は、前記抽出された対象体に係る情報に基づいて、対象体についての検査映像を取得する。本発明の一実施形態による検査映像には、超音波映像、ＭＲＩ映像、ＣＴ映像などがある。
【００６３】
本発明の一実施形態による検査映像は、複数の映像を含む。その場合、映像取得部１３０は、所定の時間間隔で複数の検査映像を取得する。
【００６４】
ディスプレイ部１４０は、取得された検査映像を表示する。また、ディスプレイ部１４０は、被検者識別情報とマッピングされる被検者情報、病歴、予め保存された検査映像などを表示する。
【００６５】
一方、本発明の一実施形態によれば、ディスプレイ部１４０は、被検者識別情報に基づいて検索した結果を表示する。例えば、ディスプレイ部１４０は、被検者識別情報とマッピングされる検査要求項目情報を表示する。その場合、ユーザは、表示された検査要求項目情報を確認して、迅速に対象体についての検査映像を取得する。
【００６６】
保存部１５０は、取得された検査映像を保存する。その時、保存部１５０は、被検者別及び検査日付別に検査映像を分類して保存する。
【００６７】
本発明の一実施形態によれば、保存部１５０は、被検者識別情報を含む被検者情報を保存する。また、保存部１５０は、被検者識別情報とマッピングされる検査要求項目情報を保存する。
【００６８】
一方、本発明の一実施形態によれば、保存部１５０は、ユーザ端末４００の情報を保存する。本発明の一実施形態によるユーザ端末４００の情報は、ユーザ端末４００の識別情報、使用権限情報などである。使用権限情報とは、ＮＦＣを介して、医療映像提供装置１００を制御するユーザ端末４００の権限情報を意味する。
【００６９】
すなわち、保存部１５０に保存されている使用権限のあるユーザ端末４００は、ＮＦＣを介して、医療映像提供装置１００の入出力部として使われる。
【００７０】
本発明の一実施形態によれば、保存部１５０は、医療映像提供装置１００に内蔵されていてもよく、外部メモリの形態で存在してもよい。
【００７１】
制御部１６０は、ユーザ端末４００から受信された制御命令を実行する。すなわち、ユーザは、ユーザ端末４００を介して、医療映像提供装置１００に制御命令を伝達する。
【００７２】
制御部１６０は、受信されたユーザ端末４００の識別情報に基づいて、ユーザ端末４００の使用権限情報を確認することもできる。すなわち、制御部１６０は、所定の範囲内にあるユーザ端末４００が、医療映像提供装置１００を制御する権限のあるユーザ端末４００であるか否かを確認する。
【００７３】
制御部１６０は、通信部１１０、検索部１２０、映像取得部１３０、ディスプレイ部１４０及び保存部１５０を全般的に制御する。
【００７４】
図３は、本発明の一実施形態に係るユーザ端末を説明するためのブロック構成図である。
【００７５】
図３に示すように、ユーザ端末４００は、通信部４１０、ディスプレイ部４２０、保存部４３０及び制御部４４０を含む。しかし、図３に示した構成要素がいずれも必須的な構成要素であるというわけではない。図３に示した構成要素よりも多くの構成要素によって、ユーザ端末４００が具現されてもよく、それよりも少ない構成要素によって、ユーザ端末４００が具現されてもよい。
【００７６】
通信部４１０は、医療映像提供装置１００またはサーバ５００と通信を行う一つ以上の構成要素を含む。例えば、通信部４１０は、近距離通信モジュール４１１、移動通信モジュール４１３、無線インターネットモジュール４１５、位置情報モジュール４１７などを含む。
【００７７】
近距離通信モジュール４１１は、近距離通信のためのモジュールをいう。近距離通信技術として、ブルートゥース、ＲＦＩＤ、ＩｒＤＡ、ＵＷＢ、ＺｉｇＢｅｅ、ＮＦＣなどが利用される。本明細書では、ＮＦＣを一例として挙げて説明する。
【００７８】
移動通信モジュール４１３は、移動通信網上で、基地局、外部の端末及びサーバのうち少なくとも一つと無線信号を送受信する。ここで、前記無線信号は、検査映像の送受信による多様な形態のデータを含む。
【００７９】
無線インターネットモジュール４１５は、無線インターネット接続のためのモジュールをいうものであって、無線インターネットモジュール４１５は内蔵または外装される。
【００８０】
位置情報モジュール４１７は、ユーザ端末４００の位置を確認したり、その位置情報を得たりするためのモジュールである。一例として、ＧＰＳ(Global Positioning System)モジュールがある。ＧＰＳモジュールは、複数個の人工衛星から位置情報を受信する。ここで、位置情報は、緯度及び経度で表示される座標情報を含む。
【００８１】
本発明の一実施形態による通信部４１０は、医療映像提供装置１００から、ＮＦＣを介して、医療映像提供装置１００の識別情報を受信する。また、通信部４１０は、外部から入力された制御命令を、ＮＦＣを介して、医療映像提供装置１００へ伝送することもできる。
【００８２】
本発明の一実施形態によれば、通信部４１０は、ＮＦＣを介して、医療映像提供装置１００から検査映像を受信し、受信された検査映像を、サーバ５００へ伝送する。したがって、医療映像提供装置１００のネットワーク連結ができないとしても、医療映像提供装置１００は、取得された検査映像を、ユーザ端末４００を介してサーバ５００へ伝送する。
【００８３】
ディスプレイ部４２０は、ユーザ端末４００で処理される情報を表示出力する。例えば、ディスプレイ部４２０は、医療映像提供装置１００から受信された検査映像を表示する。また、ディスプレイ部４２０は、医療映像提供装置１００の識別情報とマッピングされる仮想のキーセットを表示する。
【００８４】
一方、ディスプレイ部４２０とタッチパッドとが互いにレイヤー構造をなして、タッチスクリーンで構成される場合、ディスプレイ部４２０は、出力装置以外に、入力装置としても使われる。ディスプレイ部４２０は、液晶ディスプレイ(Liquid Crystal Display: LCD)、薄膜トランジスタ(Thin Film Transistor)・ＬＣＤ、有機発光ダイオード、フレキシブルディスプレイ、及び三次元ディスプレイのうち少なくとも一つを含む。そして、ユーザ端末４００の具現形態によって、ディスプレイ部４２０が二つ以上存在してもよい。
【００８５】
タッチスクリーンは、タッチ入力位置、タッチされた面積だけでなく、タッチ入力圧力までも検出するように構成される。また、タッチスクリーンは、前記タッチ(real-touch)だけでなく、近接タッチ(proximity touch)も検出されるように構成される。
【００８６】
ディスプレイ部４２０が仮想のキーセットを表示する場合、ディスプレイ部４２０は、外部から制御命令を入力されることも可能である。すなわち、ユーザは、ユーザ端末４００に表示された仮想のキーセットを介して、タッチスクリーン上に制御命令を入力できる。
【００８７】
保存部４３０は、ユーザ端末４００の識別情報、ユーザ情報（例えば、ユーザＩＤなど）、被検者についての検査映像、診断結果情報などを保存する。
【００８８】
本発明の一実施形態によれば、保存部４３０は、ＮＦＣタグに、ユーザ端末４００の識別情報、ユーザＩＤ、認証コードなどを保存する。
【００８９】
一方、保存部４３０は、ユーザ端末４００の識別情報とマッピングされる仮想のキーセットを保存する。本発明の一実施形態による仮想のキーセットは、特定の言語を表現したり、医療映像提供装置１００の特定のモードまたは特定のメニューを制御するために必要な入力キーの集合をいう。
【００９０】
制御部４４０は、通信部４１０、ディスプレイ部４２０及び保存部４３０を全般的に制御する。
【００９１】
図４は、本発明の一実施形態に係る、被検者端末にＮＦＣを介して医療映像を提供する方法を説明するためのフローチャートである。
【００９２】
図４に示すように、医療映像提供装置１００は、被検者端末２００から、ＮＦＣを介して、被検者識別情報を受信する（Ｓ４１０）。
【００９３】
本発明の一実施形態によれば、被検者端末２００と医療映像提供装置１００とが所定の距離内（例えば、半径８ｃｍ）に存在する場合、医療映像提供装置１００は、被検者端末２００に含まれたＮＦＣタグを読み込んで、被検者識別情報を受信する。
【００９４】
例えば、被検者端末２００のＮＦＣタグに、被検者Ａの被検者ＩＤである１２３４５が記録されている場合、医療映像提供装置１００は、被検者端末２００から、被検者識別情報である‘被検者ＩＤ：１２３４５’を受信する。
【００９５】
したがって、本発明の一実施形態によれば、被検者は、診療のために別途の患者カードを所持する必要がなく、自身が所持した被検者端末２００を、患者カードの代わりに使用できる。
【００９６】
医療映像提供装置１００は、被検者識別情報に基づいて、診断が要求される対象体に係る情報を検索する（Ｓ４２０）。
【００９７】
本発明の一実施形態によれば、医療映像提供装置１００内に、被検者についての診療記録と検査要求項目情報とが存在する場合、前記診断が要求される対象体に係る情報は、医療映像提供装置１００内で検索される。
【００９８】
本発明の他の実施形態によれば、医療専門家が入力した検査要求項目情報、または被検者についての診療記録がサーバ５００に存在する場合、医療映像提供装置１００は、被検者識別情報に基づいて、サーバ５００で前記診断が要求される対象体に係る情報を検索することもできる。
【００９９】
その場合、本発明の他の実施形態によれば、医療映像提供装置１００は、受信された被検者識別情報とマッピングされるワークリストを検索して、前記診断が必要な対象体に係る情報を取得する。
【０１００】
例えば、被検者Ａの肝臓に腫瘍が存在する場合、被検者Ａの腫瘍が良性であるか悪性であるかを判断するためには、肝臓についての医療映像が必要である。その場合、医療映像提供装置１００は、被検者端末２００から、被検者Ａの‘被検者ＩＤ：１２３４５’を受信し、受信された‘被検者ＩＤ：１２３４５’とマッピングされる検査要求項目情報または診療記録を検索し、前記被検者Ａの診断が要求される対象体‘肝臓’に係る情報を取得する。
【０１０１】
したがって、本発明の一実施形態によれば、ユーザが被検者の情報を別途に入力しなくとも、被検者端末２００から被検者識別情報を受信し、受信された被検者識別情報に基づいて、診断が必要な対象体に係る情報を抽出できるので、迅速な検査が可能である。
【０１０２】
医療映像提供装置１００は、対象体についての検査映像を取得する（Ｓ４３０）。本発明の一実施形態によれば、検査映像は、ＭＲＩ映像、超音波映像、ＣＴ映像などである。したがって、ユーザは、被検者識別情報にマッピングされる検査要求項目情報を確認する必要がある。
【０１０３】
本発明の一実施形態によれば、ユーザは、前記検査要求項目情報を確認して、映像の種類及び対象体を特定する。その場合、医療映像提供装置１００は、ユーザが特定した対象体についての検査映像を取得する。
【０１０４】
医療映像提供装置１００は、取得された検査映像を表示する（Ｓ４４０）。ユーザは、表示された検査映像を確認して、被検者についての診断を行う。
【０１０５】
また、本発明の一実施形態によれば、医療映像提供装置１００は、取得された検査映像を保存することもできる。その場合、医療映像提供装置１００は、取得された検査映像を表示してもよく、表示しなくてもよい。
【０１０６】
医療映像提供装置１００は、取得された検査映像を、サーバ５００または被検者端末２００へ伝送する（Ｓ４５０）。
【０１０７】
本発明の一実施形態によれば、医療映像提供装置１００は、有無線通信を利用して、サーバ５００へ検査映像を伝送することによって、検査映像を安定して保存できる。また、医療映像提供装置１００は、サーバ５００を介してネットワークが連結された他の機器と検査映像を容易に共有できる。
【０１０８】
本発明の他の実施形態によれば、医療映像提供装置１００は、ＮＦＣを介して、被検者端末２００へ検査映像を伝送することもできる。すなわち、本発明の他の実施形態によれば、ユーザは、被検者の検査映像を、別途のＵＳＢ(Universal Serial Bus)やＣＤ(Compact Disc)、ＤＶＤ(Digital Versatile Disc)に保存しなくてもよく、被検者は、検査映像を被検者端末２００に保存できるので、ユーザの便宜性が向上する。
【０１０９】
図５は、本発明の一実施形態に係る、医療映像提供装置がサービスエンジニア端末とＮＦＣを介してデータを送受信する方法を説明するためのフローチャートである。
【０１１０】
図５に示すように、医療映像提供装置１００は、機器情報をＮＦＣタグに記録する（Ｓ５１０）。本発明の一実施形態による機器情報は、医療映像提供装置１００の識別情報（例えば、基本情報（例えば、ハードウェア仕様情報、ソフトウェアバージョン情報など））と、サービスヒストリー情報のうち少なくとも一つを含む。
【０１１１】
本発明の一実施形態によるサービスヒストリー情報は、医療映像提供装置１００に遂行された修理、部品交替、ソフトウェアアップグレードなどのサービス提供内容、サービスを提供したサービスエンジニアについての情報などが含まれる。
【０１１２】
本発明の一実施形態によれば、医療映像提供装置１００は、ＮＦＣを介して、機器情報をサービスエンジニア端末３００へ伝送する（Ｓ５２０）。その場合、本発明の一実施形態によれば、サービスエンジニア端末３００は、受信された医療映像提供装置１００の機器情報を表示する（Ｓ５３０）。したがって、サービスエンジニアは、医療映像提供装置１００の機器情報を簡便に確認できる。
【０１１３】
一方、本発明の一実施形態によれば、サービスエンジニアは、サービスエンジニア端末３００を介して、医療映像提供装置１００に適用されたサービス遂行結果を記録する（Ｓ５４０）。その場合、サービスエンジニア端末３００は、サービス遂行結果を、サービスサーバ（図示せず）へ伝送してもよく、ＮＦＣを介して、医療映像提供装置１００へ伝送してもよい（Ｓ５５０）。サービス遂行結果とは、サービスエンジニアが医療映像提供装置１００を修理したり、ソフトウェアをアップグレードしたり、ハードウェアを交替するなどのサービスを遂行した結果を意味する。
【０１１４】
本発明の一実施形態によれば、医療映像提供装置１００は、サービスエンジニア端末３００から受信されたサービス遂行結果を保存する（Ｓ５６０）。その時、医療映像提供装置１００は、サービス遂行結果を、サービスヒストリー項目に追加して、ＮＦＣタグに記録することもできる。
【０１１５】
図６は、本発明の一実施形態に係る、医療映像提供装置がユーザ端末からＮＦＣを介して制御命令を受信する方法を説明するためのフローチャートである。
【０１１６】
ユーザ端末４００は、医療映像提供装置１００の識別情報を、ＮＦＣを介して受信する（Ｓ６１０）。医療映像提供装置１００の識別情報には、一連番号、モデル情報、ＩＤなどが含まれる。したがって、ユーザ端末４００が医療映像提供装置１００と所定の距離内（例えば、半径１０ｃｍ）に位置した場合、医療映像提供装置１００は、識別情報を、ＮＦＣを介して、ユーザ端末４００へ伝送する。
【０１１７】
本発明の一実施形態によれば、ユーザ端末４００は、医療映像提供装置１００の識別情報とマッピングされる仮想のキーセットを表示する（Ｓ６２０）。例えば、医療映像提供装置１００が‘Ａモデル’である場合、ユーザ端末４００は、仮想のキーセットＡを表示し、医療映像提供装置１００が‘Ｂモデル’である場合、ユーザ端末４００は、仮想のキーセットＢを表示する。
【０１１８】
ユーザ端末４００は、仮想のキーセットを介して、制御命令を入力される（Ｓ６３０）。すなわち、ユーザは、ユーザ端末４００に表示された仮想のキーセットを利用して、制御命令を入力する。例えば、ユーザは、前記仮想のキーセットを利用して、映像モードを選択したり、命令語を入力する。
【０１１９】
本発明の一実施形態によれば、ユーザ端末４００は、医療映像提供装置１００で動作されるメニューまたはモードによって必要な仮想のキーセットを表示することもできる。
【０１２０】
したがって、本発明の一実施形態によれば、ユーザ端末４００を、医療映像提供装置１００の入出力部として使用できるので、医療映像提供装置１００のサイズを小さくして実用的である。
【０１２１】
本発明の一実施形態によれば、ユーザ端末４００は、ＮＦＣを介して、入力された制御命令を伝送する（Ｓ６４０）。その場合、医療映像提供装置１００は、制御命令を受信し、受信された制御命令を実行する（Ｓ６５０）。
【０１２２】
一方、ＮＦＣの場合、機器間に別途のペアリングプロセスが要求されず、機器の電源が供給されない場合にも、ＮＦＣタグのデータを読み込み、一対の機器同士でも通信が可能であるので、ユーザ端末４００を、ＮＦＣを介して、医療映像提供装置１００の入出力部として使用するとしても、被検者情報や検査結果に対する保安が維持される。
【０１２３】
図７は、本発明の一実施形態に係る、医療映像提供装置がユーザ端末の使用権限情報を確認する方法を説明するためのフローチャートである。
【０１２４】
本発明の一実施形態によれば、医療映像提供装置１００は、ユーザ端末４００の識別情報を、ＮＦＣを介して受信する（Ｓ７１０）。ユーザ端末４００の識別情報は、ユーザ端末４００のＩＤ、携帯電話番号、ユーザＩＤ、ユーザの個人識別番号(Personal Identification Number: PIN)などがある。
【０１２５】
本発明の一実施形態によれば、医療映像提供装置１００は、ユーザ端末４００の識別情報に基づいて、ユーザ端末４００の使用権限情報を確認する（Ｓ７２０）。
【０１２６】
例えば、医療映像提供装置１００を制御可能なユーザ端末４００の識別情報が、医療映像提供装置１００のデータベースに予め登録されていると仮定する。医療映像提供装置１００は、受信されたユーザ端末４００の識別情報が、予め登録されたユーザ端末４００の識別情報と一致するか否かを確認して、ユーザ端末４００が、医療映像提供装置１００を制御する権限があるか否かを判断する（Ｓ７３０）。
【０１２７】
判断の結果、使用権限が存在しない場合、医療映像提供装置１００は、ユーザ端末４００に、医療映像提供装置１００の識別情報を提供しない。その場合、ユーザは、ユーザ端末４００を、医療映像提供装置１００の入出力部として使用できない。
【０１２８】
一方、使用権限が存在する場合、医療映像提供装置１００は、ＮＦＣを介して、医療映像提供装置１００の識別情報を、ユーザ端末４００へ伝送する（Ｓ７４０）。その時、ユーザ端末４００は、受信された医療映像提供装置１００の識別情報に基づいて、医療映像提供装置１００を制御するための仮想のキーセットを表示できる。
【０１２９】
したがって、本発明の一実施形態によれば、医療映像提供装置１００を制御する権限のあるユーザ端末４００であることが認証された場合にのみ、ユーザは、ユーザ端末４００を、医療映像提供装置１００の入出力部として使用できる。
【０１３０】
一方、本発明の他の実施形態によれば、医療映像提供装置１００は、別途の認証情報を、ユーザ端末４００に要求することによって、ユーザ端末４００についての使用権限を確認することもできる。
【０１３１】
本発明の一実施形態によれば、前述した方法は、プログラムが記録された媒体に、コンピュータで読み取り可能なコードとして具現することが可能である。コンピュータで読み取り可能な媒体は、コンピュータシステムにより読み取られるデータが保存される全ての種類の記録装置を含む。コンピュータで読み取り可能な記録媒体の例としては、ＲＯＭ(Read Only Memory)、ＲＡＭ(Random Access Memory)、ＣＤ(Compact Disc)−ＲＯＭ、磁気テープ、フロッピー（登録商標）ディスク、光データ保存装置などがあり、また、キャリアウェーブ（例えば、インターネットを通じた伝送）の形態で具現されるものも含む。また、前記コンピュータは、医療映像提供装置１００の制御部１６０をも含む。
【０１３２】
結果として、本発明の一実施形態によれば、医療映像提供装置１００は、被検者端末２００から、ＮＦＣを介して、被検者識別情報を受信し、受信された被検者識別情報に基づいて、被検者についての検査映像を取得できるので、検査時間を短縮することができる。
【０１３３】
また、本発明の一実施形態によれば、医療映像提供装置１００は、取得された検査映像を、ＮＦＣを介して、被検者端末２００へ伝送できるので、ＣＤやＤＶＤに別途に検査映像を保存しなければならない不都合を減らすことができる。
【０１３４】
一方、本発明の一実施形態によれば、ユーザは、ユーザ端末４００を医療映像提供装置１００と所定の距離内に位置させることによって、例えば、医療映像提供装置１００の保持台に、ユーザ端末４００を載置することによって、医療映像提供装置１００の入出力部として、ユーザ端末４００を使用できる。したがって、本発明の一実施形態によれば、医療映像提供装置１００のサイズを縮小することができる。
【０１３５】
以上、本発明の実施形態について詳細に説明したが、本発明の権利範囲は、それに限定されるものではなく、特許請求の範囲で定義している本発明の基本概念を利用した当業者の色々な変形及び改良形態も、本発明の権利範囲に属している。
【図１】
2015509220.tif 000003
【図２】
2015509220.tif 000004
【図３】
2015509220.tif 000005
【図４】
2015509220.tif 000006
【図５】
2015509220.tif 000007
【図６】
2015509220.tif 000008
【図７】
2015509220.tif 000009
【国際調査報告】
2015509220.tif 000010
2015509220.tif 000011